(57)【要約】      （修正有）【課題】一年を通して快適に使用することができる敷きパッドを提供する。【解決手段】敷きパッドは、ヒータ部１００と、ヒータ部１００を挟むように配置された、表側生地１０と裏側生地２０とを備えている。表側生地１０は温感生地である。裏側生地２０は冷感生地である。【選択図】図３
2020178774.tif 000002
【特許請求の範囲】
【請求項１】
ヒータ部と、
前記ヒータ部を挟むように配置された、表側生地と裏側生地とを備え、
前記表側生地は、温感生地であり、
前記裏側生地は、冷感生地である、敷きパッド。
【請求項２】
前記ヒータ部と前記表側生地との間に配置された表側中綿と、
前記ヒータ部と前記裏側生地との間に配意された裏側中綿とを備え、
前記表側中綿は、前記裏側中綿よりも目付が大きい、請求項１に記載の敷きパッド。
【請求項３】
前記表側中綿の目付は、１５０ｇ／ｍ２であり、
前記裏側中綿の目付は、７０ｇ／ｍ２である、請求項２に記載の敷きパッド。
【請求項４】
前記温感生地の素材は、ポリエステルであり、
前記冷感生地の素材は、ナイロンである、請求項１〜３のいずれか１項に記載の敷きパッド。
【請求項５】
前記ヒータ部に電気的に接続され、かつ前記裏側生地を挟むように前記裏側生地に取り付けられたジョイントボックスをさらに備え、
前記ジョイントボックスは、前記表側生地に覆われている、請求項１〜４のいずれか１項に記載の敷きパッド。
【請求項６】
前記表側生地および前記裏側生地の外周端を覆うヘムと、
前記ヘムに縫い付けられた係止部材とをさらに備え、
前記係止部材は、前記ヘムと前記裏側生地とに挟まれて第１位置で前記ヘムに縫い付けられ、前記ヘムと前記裏側生地との間から前記ヘムの内周側に突き出してから前記ヘムの外周側に折り返して前記第１位置よりも前記ヘムの外周側に位置する第２位置で前記ヘムに縫い付けられている、請求項１〜５のいずれか１項に記載の敷きパッド。
【発明の詳細な説明】
【技術分野】
【０００１】
本発明は、敷きパッドに関するものである。
【背景技術】
【０００２】
従来、床および布団等に敷いて用いられる敷きパッドが提案されている。敷きパッドの一例として、特開平９−２１７９３９号公報（特許文献１）には、表面と裏面との両面が使用できる電気カーペットが提案されている。この公報に記載された電気カーペットでは、ヒータユニットの表側および裏側のそれぞれに綿密度の異なるニードルパンチカーペット等の不織布の表面材の表地が配置されている。表地の綿密度の低い方が椅子使用時に使用され、表地の綿密度の高い方が座って使用されることにより、使用状態における接触圧の違いで生じる温度差が表地の綿密度の高低差で吸収されるため、ほぼ同一の体感温度が得られる。
【先行技術文献】
【特許文献】
【０００３】
【特許文献１】特開平９−２１７９３９号公報
【発明の概要】
【発明が解決しようとする課題】
【０００４】
上記公報に記載された電気カーペットでは、暖房器具としての使用が想定されている。このため、冬季以外の気温の高い時期には、使用者は、この電気カーペットを快適に使用できない。したがって、上記公報に記載された電気カーペットでは、一年を通して快適に使用することはできない。
【０００５】
本発明は上記課題に鑑みてなされたものであり、その目的は、一年を通して快適に使用することができる敷きパッドを提供することである。
【課題を解決するための手段】
【０００６】
本発明の敷きパッドは、ヒータ部と、ヒータ部を挟むように配置された、表側生地と裏側生地とを備えている。表側生地は温感生地である。裏側生地は冷感生地である。
【発明の効果】
【０００７】
本発明の敷きパッドによれば、表側生地は温感生地であるため、冬季の気温が低い時期には、温感生地を使用者に接触させることで快適に使用することができる。裏側生地は冷感生地であるため、冬季以外の気温が高い時期には、冷感生地を使用者に接触させることで快適に使用することができる。したがって、一年を通して快適に使用することができる。
【図面の簡単な説明】
【０００８】
【図１】本発明の実施の形態に係る敷きパッドの構成を表側から概略的に示す斜視図である。
【図２】本発明の実施の形態に係る敷きパッドの構成を裏側から概略的に示す斜視図である。
【図３】図１のＩＩＩ−ＩＩＩ線に沿う拡大断面図である。
【図４】本発明の実施の形態に係る敷きパッドにおけるヒータの配置を表側から概略的に示す平面図である。
【図５】本発明の実施の形態に係る敷きパッドにおけるヒータの構造を概略的に示す斜視図である。
【図６】本発明の実施の形態に係る敷きパッドにおけるジョイントボックスが取り付けられた部分を概略的に示す斜視図である。
【図７】図６のＶＩＩ−ＶＩＩ線に沿う断面図である。
【図８】図２のＶＩＩＩ−ＶＩＩＩ部の拡大図である。
【発明を実施するための形態】
【０００９】
以下、本発明の実施の形態について図を参照して説明する。
最初に実施の形態に係る敷きパッドの構成について説明する。
【００１０】
図１〜図３を参照して、実施の形態に係る敷きパッド１は、表側生地１０と、裏側生地２０と、ヘム３０と、係止部材４０と、ジョイントボックス５０と、表側中綿６０と、表側不織布７０と、裏側中綿８０と、裏側不織布９０と、ヒータ部１００とを備えている。
【００１１】
図１に示されるように、表側生地１０は、敷きパッド１の表側に配置されている。表側生地１０は、敷きパッド１の表面を構成している。表側生地１０は、温感生地である。温感生地は、温感生地に接触した使用者に温感を与えるように構成されている。温感生地の素材は、ポリエステルである。表側生地１０の編みは、例えば、フランネル調マイヤーである。表側生地１０の目付は、例えば、２２０ｇ／ｍ２以上２４０ｇ／ｍ２以下である。表側生地１０のパイル長は、例えば、４ｍｍ以上６ｍｍ以下である。
【００１２】
表側生地１０は、略長方形状に構成されている。表側生地１０においては、例えば、縦寸法が約２００ｃｍであり、横寸法が約１００ｃｍであってもよい。表側生地１０にキルティング加工が施されていてもよい。具体的には、表側生地１０に、例えば、ひょうたん型のキルティングパターンが形成されていてもよい。本実施の形態では、表側生地１０の長手方向（縦方向）に沿って延びるように、ひょうたん型のキルティングパターンが形成されている。
【００１３】
図２に示されるように、裏側生地２０は、敷きパッド１の裏側に配置されている。裏側生地２０は、敷きパッド１の裏面を構成している。裏側生地２０は、冷感生地である。冷感生地は、冷感生地に接触した使用者に冷感を与えるように構成されている。冷感生地の素材は、ナイロンである。裏側生地２０の編みは、ニット編みである。裏側生地２０の目付は、例えば、２２０ｇ／ｍ２以上２４０ｇ／ｍ２以下である。
【００１４】
裏側生地２０は、略長方形状に構成されている。裏側生地２０においては、例えば、縦寸法が約２００ｃｍであり、横寸法が約１００ｃｍであってもよい。裏側生地２０にキルティング加工が施されていてもよい。具体的には、裏側生地２０に、例えば、ひょうたん型のキルティングパターンが形成されていてもよい。本実施の形態では、裏側生地２０の長手方向（縦方向）に対して斜めに延びるように、ひょうたん型のキルティングパターンが形成されている。
【００１５】
ヘム３０は、表側生地１０および裏側生地２０の外周端を覆っている。ヘム３０は、表側生地１０および裏側生地２０の外周端に沿って全周にわたって配置されている。ヘム３０は、敷きパッド１の外周部を構成している。ヘム３０は、敷きパッド１の外周端に沿って略均一の幅を有するように構成されていてもよい。敷きパッド１の幅は、例えば、約２ｃｍである。
【００１６】
係止部材４０は、敷きパッド１が布団等に敷いて用いられるときに、布団等に係止するためのものである。係止部材４０が布団等に係止されることによって敷きパッド１が布団等に取り付けられる。係止部材４０は、帯状に構成されている。係止部材４０は、例えば、弾性部材から構成されている。具体的には、係止部材４０は、例えば、ゴム紐により構成されている。係止部材４０の幅は、例えば、約２．５ｃｍである。
【００１７】
係止部材４０は、ヘム３０に縫い付けられている。具体的には、係止部材４０は、敷きパッド１の裏側においてヘム３０に縫い付けられている。本実施の形態では、係止部材４０は、敷きパッド１の四隅のそれぞれに配置されている。つまり、本実施の形態では、係止部材４０は４つ配置されている。４つの係止部材４０の各々は、敷きパッド１の四隅において、敷きパッド１の隣り合う長辺と短辺とにわたって延びている。
【００１８】
ジョイントボックス５０は、ヒータ部１００（図３）に電気的に接続されている。具体的には、ジョイントボックス５０は、ヒータ部１００のヒータ１０１（図３）に電気的に接続されている。ジョイントボックス５０は、ヒータ部１００に電気を供給するように構成されている。ジョイントボックス５０は、敷きパッド１の互いに向かい合う長辺の一方に配置されている。ジョイントボックス５０は、裏側生地２０の長手方向（縦方向）の略中央に配置されている。
【００１９】
図３を参照して、表側生地１０、裏側生地２０、表側中綿６０、表側不織布７０、裏側中綿８０、裏側不織布９０、ヒータ部１００は、敷きパッド１の表側から裏側に向かって、表側生地１０、表側中綿６０、表側不織布７０、ヒータ部１００、裏側不織布９０、裏側中綿８０、裏側生地２０の順に重ねられている。ヘム３０は、これらの外周部を覆うように構成されている。ヘム３０は、これらを挟み込んで表側生地１０から裏側生地２０にわたって縫製糸ＴＨで縫い付けられている。敷きパッド１の表側および裏側に配置されたヘム３０の両端部の各々は、内側に折り込まれて縫い付けられている。
【００２０】
表側生地１０と裏側生地２０とは、ヒータ部１００を挟むように配置されている。具体的には、ヒータ部１００は、表側中綿６０、表側不織布７０、裏側中綿８０、裏側不織布９０を介して、表側生地１０と裏側生地２０とに挟まれている。
【００２１】
表側中綿６０は、ヒータ部１００と表側生地１０との間に配置されている。表側中綿６０は、樹脂綿である。表側中綿６０の素材は、ポリエステルである。表側中綿６０の目付は、１５０ｇ／ｍ２である。表側中綿６０は、裏側中綿８０よりも目付が大きい。表側中綿６０は、表側生地１０と表側不織布７０との間に配置されている。
【００２２】
表側不織布７０は、表側中綿６０とヒータ部１００との間に配置されている。表側不織布７０は、例えば、スパンボンド不織布である。表側不織布７０の素材は、ポリエステルである。表側不織布７０の目付は、例えば、１７ｇ／ｍ２である。
【００２３】
裏側中綿８０は、ヒータ部１００と裏側生地２０との間に配置されている。裏側中綿８０は、樹脂綿である。裏側中綿８０の素材は、ポリエステルである。裏側中綿８０の目付は、７０ｇ／ｍ２である。裏側中綿８０は、表側中綿６０よりも目付が小さい。裏側中綿８０は、裏側生地２０と裏側不織布９０との間に配置されている。
【００２４】
裏側不織布９０は、裏側中綿８０とヒータ部１００との間に配置されている。裏側不織布９０は、例えば、スパンボンド不織布である。裏側不織布９０の素材は、ポリエステルである。裏側不織布９０の目付は、例えば、１７ｇ／ｍ２である。
【００２５】
なお、上記の各目付は公差を含んでいてもよい。具体的には、上記の各目付は、±５％の公差を含んでいてよい。
【００２６】
ヒータ部１００は、ヒータ１０１と、表側布１１０と、裏側布１２０とを含んでいる。本実施の形態では、ヒータ１０１は線状に構成されている。つまり、本実施の形態では、ヒータ１０１は、ヒータ線である。ヒータ１０１は、表側布１１０と裏側布１２０とに挟まれている。つまり、ヒータ１０１は、表側布１１０と裏側布１２０との間に配置されている。表側布１１０は、表側不織布７０とヒータ１０１との間に配置されている。裏側布１２０は、裏側不織布９０とヒータ１０１との間に配置されている。
【００２７】
図４を参照して、ヒータ１０１の両端は、ジョイントボックス５０に接続されている。これにより、ヒータ１０１は、ジョイントボックス５０に電気的に接続されている。
【００２８】
ヒータ１０１は、敷きパッド１の表面に沿って配置されている。ヒータ１０１は、敷きパッド１の一方端１ａ側から他方端１ｂ側にわたって延びるように配置されている。敷きパッド１の長手方向（縦方向）において、敷きパッド１の一方端１ａとヒータ１０１との距離は、敷きパッド１の他方端１ｂとヒータ１０１との距離よりも大きい。つまり、ヒータ１０１は、敷きパッド１の長手方向（縦方向）において、敷きパッド１の一方端１ａよりも他方端１ｂの近くに配置されている。
【００２９】
ヒータ１０１は、敷きパッド１の長手方向（縦方向）に蛇行する蛇行部分を有している。ヒータ１０１の蛇行部分は、敷きパッド１の短手方向（横方向）に交互に折り返しながら長手方向（縦方向）に延びている。ヒータ１０１の蛇行部分の隣り合う直線部分同士の距離は、敷きパッド１の長手方向（縦方向）において、敷きパッド１の一方端１ａ側よりも他方端１ｂ側が小さい。つまり、ヒータ１０１の蛇行部分は、一方端１ａ側よりも他方端１ｂ側において密に配置されている。すなわち、ヒータ１０１の蛇行部分の単位面積当たりの量は、一方端１ａ側よりも他方端１ｂ側の方が多い。
【００３０】
図５を参照して、ヒータ１０１の一例を説明する。ヒータ１０１は、芯材１０２と、発熱線１０３と、絶縁材１０４と、温度検知線１０５と、外被部材１０６とを含んでいる。ヒータ１０１は、例えば、約２ｍｍの直径を有している。
【００３１】
芯材１０２は、ヒータ１０１の芯となる部材である。芯材１０２の素材は、例えば、ガラス繊維である。芯材１０２の外周にらせん状に発熱線１０３が巻かれている。発熱線１０３は、電流が流れることにより発熱する線状の部材である。発熱線１０３の素材は、例えば、銅である。
【００３２】
芯材１０２および発熱線１０３を絶縁材１０４は被覆している。絶縁材１０４の素材は、例えば、ナイロンである。絶縁材１０４の外周にらせん状に温度検知線１０５が巻かれている。温度検知線１０５は、両端部間の抵抗値の変化を検出することにより、ヒータ１０１の温度変化を検知可能に構成されている。温度検知線１０５の素材は、例えば、ニッケルである。
【００３３】
絶縁材１０４および温度検知線１０５を外被部材１０６は被覆している。外被部材１０６は、絶縁体である。外被部材１０６の素材は、例えば、塩化ビニルである。
【００３４】
図６および図７を参照して、ジョイントボックス５０は、ケース５１と、複数の端子５２とを含んでいる。ケース５１の正面５１ａに凹部５１ｂが設けられている。凹部５１ｂは、図示しない電源コードが挿入されるように構成されている。ケース５１の一対の側面５１ｃに溝５１ｄが設けられている。溝５１ｄは、一対の側面５１ｃを貫通するように設けられている。
【００３５】
凹部５１ｂの凹部５１ｂ内に複数の端子５２が配置されている。複数の端子５２の各々は、ヒータ１０１に電気的に接続されている。このようにして、ジョイントボックス５０は、ヒータ１０１に電気的に接続されている。
【００３６】
ジョイントボックス５０の溝５１ｄよりも表側に配置された部分は、表側不織布７０と表側布１１０との間に配置されている。ケース５１の溝５１ｄよりも裏側に配置された部分は裏側生地２０よりも外側に配置されている。
【００３７】
敷きパッド１のジョイントボックス５０が取り付けられた部分では、ヘム３０が表側と裏側とに分離されている。表側のヘム３０は、表側生地１０、表側中綿６０、表側不織布７０を挟み込んで表側生地１０から表側不織布７０にわたって縫製糸ＴＨで縫い付けられている。
【００３８】
裏側のヘム３０は、裏側生地２０、裏側中綿８０および裏側不織布９０、ならびに、ヒータ部１００の表側布１１０および裏側布１２０を挟み込んで裏側生地２０から表側布１１０にわたって縫製糸ＴＨで縫い付けられている。
【００３９】
このようにして、ジョイントボックス５０は、裏側生地２０を挟むように裏側生地２０に取り付けられている。ジョイントボックス５０は、図示しないネジなどによって裏側生地２０に固定されていてもよい。
【００４０】
ジョイントボックス５０は、表側生地１０に覆われている。ジョイントボックス５０は、表側生地１０に対して垂直な方向から見たときに、表側生地１０から露出しないように配置されている。ジョイントボックス５０は、裏側生地２０に対して垂直な方向から見たときに、裏側生地２０から露出しないように配置されている。
【００４１】
図８を参照して、１つの係止部材４０は、２カ所においてヘム３０に縫製糸ＴＨで縫い付けられていてもよい。具体的には、係止部材４０は、第１位置Ｐ１と、第２位置Ｐ２とでヘム３０に縫製糸ＴＨで縫い付けられている。係止部材４０は、ヘム３０と裏側生地２０とに挟まれて第１位置Ｐ１でヘム３０に縫い付けられている。そして、係止部材４０は、ヘム３０と裏側生地２０との間からヘム３０の内周側に突き出してからヘム３０の外周側に折り返して第１位置Ｐ１よりもヘム３０の外周側に位置する第２位置Ｐ２でヘム３０に縫い付けられている。
【００４２】
次に、実施の形態に係る敷きパッド１の動作および使用について説明する。
まず、敷きパッド１が気温の低い冬季に使用される場合について説明する。図１および図７を参照して、図示しない電源コードがジョイントボックス５０に接続されることで、ジョイントボックス５０の端子５２を介してヒータ１０１に電気が供給される。これにより、図５に示されるヒータ１０１の発熱線１０３が発熱する。この発熱によって暖房機能が発揮される。つまり、敷きパッド１は、暖房効果を奏する。このため、気温が低い冬季には、敷きパッド１は、暖房器具として用いられる。このとき、表側生地１０である温感生地が使用者に接触するように敷きパッド１が使用されることで、使用者は温感を得られる。したがって、使用者は、冬季に敷きパッドを快適に使用できる。
【００４３】
続いて、敷きパッド１が冬季以外の気温の高い時期に使用される場合について説明する。図２および図７を参照して、敷きパッド１が冬季以外の気温が高い時期に使用される場合には、ジョイントボックス５０を介してヒータ１０１に電気が供給されない。このため、ヒータ１０１の発熱による暖房機能は発揮されない。そして、裏側生地２０である冷感生地が使用者に接触するように敷きパッド１が使用されることで、使用者は冷感を得られる。したがって、使用者は、冬季以外の気温が高い時期に敷きパッド１を快適に使用できる。以上より、敷きパッド１は、一年を通して快適に使用することができる。
【００４４】
次に、実施の形態に係る敷きパッド１の作用効果について説明する。
実施の形態に係る敷きパッド１によれば、表側生地１０は温感生地であるため、冬季の気温が低い時期には、温感生地を使用者に接触させることで快適に使用することができる。裏側生地は冷感生地であるため、冬季以外の気温が高い時期には、冷感生地を使用者に接触させることで快適に使用することができる。したがって、一年を通して快適に使用することができる。
【００４５】
また、実施の形態１に係る敷きパッド１によれば、表側中綿６０は裏側中綿８０よりも目付が大きい。このため、表側中綿６０によって暖房時の保温効果を向上させることができるとともに、裏側中綿８０によって暖房時以外の保温効果を抑制することができる。
【００４６】
また、実施の形態１に係る敷きパッド１によれば、表側中綿６０の目付は、１５０ｇ／ｍ２であり、裏側中綿８０の目付は、７０ｇ／ｍ２である。このため、表側中綿６０による暖房時の保温効果の向上と裏側中綿８０による暖房時以外の保温効果の抑制とを最適化することができる。
【００４７】
また、実施の形態１に係る敷きパッド１によれば、温感生地の素材は、ポリエステルであり、冷感生地の素材は、ナイロンである。このため、使用者は、温感生地に接触することで温感を得ることができ、冷感生地に接触することで冷感を得ることができる。
【００４８】
また、ジョイントボックス５０は、裏側生地２０を挟むように裏側生地２０に取り付けられている。このため、ジョイントボックス５０をしっかりと裏側生地２０に取り付けることができる。また、ジョイントボックス５０は、表側生地１０に覆われている。このため、冬季の気温が低い時期に、温感生地を使用者に接触させるときに、ジョイントボックス５０が使用者に接触することを抑制することができる。これにより、冬季の気温が低い時期に使用者がジョイントボックス５０に接触することで冷たく感じることを抑制することができる。
【００４９】
また、係止部材４０は、ヘム３０と裏側生地２０とに挟まれて第１位置Ｐ１でヘム３０に縫い付けられ、ヘム３０と裏側生地２０との間からヘム３０の内周側に突き出してからヘム３０の外周側に折り返して第１位置Ｐ１よりもヘム３０の外周側に位置する第２位置Ｐ２でヘム３０に縫い付けられている。このため、第１位置Ｐ１および第２位置Ｐ２で係止部材４０がヘム３０に縫い付けられることで、係止部材４０をヘム３０にしっかりと固定することができる。
【００５０】
また、係止部材４０をループ状に形成することができるため、係止部材４０を布団等に係止することが容易となる。
【００５１】
さらに、係止部材４０がヘム３０の内周側に突き出してからヘム３０の外周側に折り返して第２位置Ｐ２でヘム３０に縫い付けられているため、係止部材４０がヘム３０の内周側から外周側に引っ張られることが抑制される。これにより、係止部材４０およびヘム３０の見栄えがよくなる。
【００５２】
本実施の形態に係る敷きパッド１によれば、ヒータ部１００のヒータ１０１は、敷きパッド１の長手方向（縦方向）において、敷きパッド１の一方端１ａよりも他方端１ｂの近くに配置されている。このため、使用者の頭が敷きパッド１の一方端１ａ側に配置されるとともに使用者の足が敷きパッド１の他方端１ｂ側に配置されることで、ヒータ１０１が発熱したときに、使用者の頭側での温度を低くすることができ、使用者の足側での温度を高くすることができる。これにより、いわゆる頭寒足熱を実現することができる。
【００５３】
また、ヒータ１０１の蛇行部分の隣り合う直線部分同士の距離は、敷きパッド１の長手方向（縦方向）において、敷きパッド１の一方端１ａ側よりも他方端１ｂ側が小さい。このため、使用者の頭が敷きパッド１の一方端１ａ側に配置されるとともに使用者の足が敷きパッド１の他方端１ｂ側に配置されることで、ヒータ１０１が発熱したときに、使用者の頭側での温度を低くすることができ、使用者の足側での温度を高くすることができる。これにより、いわゆる頭寒足熱を実現することができる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００５５】
１  パッド、１ａ  一方端、１ｂ  他方端、１０  表側生地、２０  裏側生地、３０  ヘム、４０  係止部材、５０  ジョイントボックス、５１  ケース、５１ａ  正面、５１ｂ  凹部、５１ｃ  側面、５１ｄ  溝、５２  端子、６０  表側中綿、７０  表側布、９０  裏側布、８０  裏側中綿、１００  ヒータ部、１０１  ヒータ、１０２  芯材、１０３  発熱線、１０４  絶縁材、１０５  温度検知線、１０６  外被部材、１１０  表側布、１２０  裏側布、Ｐ１  第１位置、Ｐ２  第２位置、ＴＨ  縫製糸。
【図１】
2020178774.tif 000003
【図２】
2020178774.tif 000004
【図３】
2020178774.tif 000005
【図４】
2020178774.tif 000006
【図５】
2020178774.tif 000007
【図６】
2020178774.tif 000008
【図７】
2020178774.tif 000009
【図８】
2020178774.tif 000010